(57)【要約】【課題】泡切れが良く操作性の良好な新規の泡噴出キャップ及び、それを備える泡噴出チューブ容器を提供する。【解決手段】泡噴出キャップ10は、口筒部2aを閉じる隔壁11に吸入筒13と貫通孔A2が形成された栓体10aと、吸入筒13に形成された混合路r3からの内容物M及び空気Airを泡状にするメッシュ17と、噴出口18が形成されたノズル10cを備え、栓体10aとノズル10cとの間に中間部材10bを配置し、中間部材10bは、ノズル側空間S1と容器本体側空間S2を形成する仕切壁15に、メッシュ17が配置されるとともに空間S1に噴出口18に通じる環状隙間Gを形成する筒体部16を設け、メッシュ17に通じる開口部A0と隙間Gを空間S2に通じさせる貫通孔A2を形成したものであり、空間S2に生じた負圧によって貫通孔A2を開放する吸気弁22と、混合路r3に生じた圧送力によって混合路r3を開放する吐出弁23を筒部材21を介して一体に設けた。【選択図】図３
2014046962.tif 000002
【特許請求の範囲】
【請求項１】
変形及び復元が可能な容器本体の口筒部に装着される泡噴出キャップであって、
当該泡噴出キャップは、容器本体の口筒部を閉じる隔壁に当該容器本体の内容物及び空気の混合路を内側に形成する吸入筒と容器本体内に通じる貫通孔が形成された栓体と、容器本体の変形によって圧送された混合物を通して当該混合物を泡状に生成する泡生成部材と、泡状に生成された混合物を噴出させるとともに容器本体の復元によって外気を導入する噴出口が形成されたノズルを備え、
栓体とノズルとの間に、互いを連結する中間部材を配置し、
当該中間部材は、栓体とノズルとの間に、ノズル側の空間と容器本体側の空間を形成する仕切壁を有し、この仕切壁に、当該仕切壁からノズル側の空間に向かって起立することで内側に泡生成部材が配置されるとともにノズル側の空間に噴出口に通じる環状の隙間を形成する筒体部を設けるとともに、当該筒体部の内側に配置した泡生成部材に通じる開口部と容器本体側の空間に前記隙間を通じさせる貫通孔を形成したものであり、
容器本体側の空間に、当該容器本体側の空間に生じた負圧によって仕切壁に形成した貫通孔を開放する吸気弁を設けるとともに、混合路に生じた圧送力によって当該混合路を開放する吐出弁を設けたことを特徴とする泡噴出キャップ。
【請求項２】
請求項１において、容器本体側の空間に、栓体に形成した混合路を中間部材に形成した開口部に通じさせる筒部材を配置し、当該筒部材の外側及び内側にそれぞれ、吸気弁及び吐出弁を一体に設けたことを特徴とする泡噴出キャップ。
【請求項３】
請求項１又は２に記載の泡噴出キャップをチューブ状の容器本体に固定してなることを特徴とする泡噴出チューブ容器。
【発明の詳細な説明】
【技術分野】
【０００１】
本発明は、容器本体の変形及び復元により内容物を泡状に噴出させることができる泡噴出キャップ及び、それを備える泡噴出チューブ容器に関するものである。
【背景技術】
【０００２】
従来の泡噴出キャップには、チューブ状の容器本体の口筒部に固定される栓体に、容器本体の内容物及び空気の混合路を形成するとともに、メッシュ等の泡生成部材を埋め込んで、泡状に噴出させるものがある（例えば、特許文献１参照）。この泡噴出キャップは、容器本体の外観形状の確保のため、栓体に貫通孔を形成することにより容器本体への外気導入を図るとともに、容器本体の変形及び復元を繰り返すことで泡状の混合物の噴出を可能にするため、当該貫通孔に吸気弁が設けられている。
【先行技術文献】
【特許文献】
【０００３】
【特許文献１】特開２０１１−９８７７７号公報
【発明の概要】
【発明が解決しようとする課題】
【０００４】
しかしながら、従来の泡噴出キャップは、泡噴出後の泡（液）切れが悪いという問題がある。この場合、残った泡が時間経過とともに液化することで、汚れ原因となる液ダレを起こすことがある。また、こうした泡（液）切れの悪さは、外気導入の妨げとなる場合がある。
【０００５】
本発明の目的とするところは、泡切れが良く操作性の良好な新規の泡噴出キャップ及び、それを備える泡噴出チューブ容器を提供することにある。
【課題を解決するための手段】
【０００６】
本発明は、変形及び復元が可能な容器本体の口筒部に装着される泡噴出キャップであって、
当該泡噴出キャップは、容器本体の口筒部を閉じる隔壁に当該容器本体の内容物及び空気の混合路を内側に形成する吸入筒と容器本体内に通じる貫通孔が形成された栓体と、容器本体の変形によって圧送された混合物を通して当該混合物を泡状に生成する泡生成部材と、泡状に生成された混合物を噴出させるとともに容器本体の復元によって外気を導入する噴出口が形成されたノズルを備え、
栓体とノズルとの間に、互いを連結する中間部材を配置し、
当該中間部材は、栓体とノズルとの間に、ノズル側の空間と容器本体側の空間を形成する仕切壁を有し、この仕切壁に、当該仕切壁からノズル側の空間に向かって起立することで内側に泡生成部材が配置されるとともにノズル側の空間に噴出口に通じる環状の隙間を形成する筒体部を設けるとともに、当該筒体部の内側に配置した泡生成部材に通じる開口部と容器本体側の空間に前記隙間を通じさせる貫通孔を形成したものであり、
容器本体側の空間に、当該容器本体側の空間に生じた負圧によって仕切壁に形成した貫通孔を開放する吸気弁を設けるとともに、混合路に生じた圧送力によって当該混合路を開放する吐出弁を設けたことを特徴とするものである。
【０００７】
本発明では、容器本体側の空間に、栓体に形成した混合路を中間部材に形成した開口部に通じさせる筒部材を配置し、当該筒部材の外側及び内側にそれぞれ、吸気弁及び吐出弁を一体に設けることができる。
【０００８】
また、本発明では、上記泡噴出キャップをチューブ状の容器本体に固定することで泡噴出チューブ容器を構成することができる。
【発明の効果】
【０００９】
本発明では、泡噴出後の泡（液）切れが効率的に向上することで、長期間綺麗に使い続けることができるとともに、容器本体の復元もスムースになることで、操作性も良好なものとなる。従って、本発明によれば、泡切れが良く操作性の良好な新規の泡噴出キャップ及び、それを備える泡噴出チューブ容器を提供することができる。
【図面の簡単な説明】
【００１０】
【図１】本発明の泡噴出チューブ容器の一実施形態を示す断面図である。
【図２】図１の拡大図である。
【図３】（ａ）は、同泡噴出チューブ容器を構成する中間部材を上方から示す平面図であり、（ｂ）は、（ａ）のＸ−Ｘ断面図である。
【図４】同泡噴出チューブ容器において、容器本体からの混合物を泡状に噴出させた状態を示す拡大断面図である。
【図５】同泡噴出チューブ容器において、泡状の混合物をバックサクション機能によって容器本体に回収するときの状態を示す拡大断面図である。
【発明を実施するための形態】
【００１１】
以下、図面を参照して、本発明の泡噴出チューブ容器を詳細に説明する。
【００１２】
図１中、符号１は、本発明の一実施形態である、泡噴出チューブ容器１であり、符号２は、可撓性を有する合成樹脂製の容器本体である。容器本体２は、口筒部２ａを有してその後端２ｂがヒートシールされたチューブ状に形作られている。胴部２ｃは、使用者がスクイズ（圧搾）することで変形する一方、そのスクイズを解除することによって復元する。容器本体２の内部には、内容液Ｍが充填される充填空間Ｓ０が形成されている。
【００１３】
符号１０は、容器本体２に固定される泡噴出キャップである。泡噴出キャップ１０は、口筒部２ａに装着される栓体１０ａと、この栓体１０ａに固定される中間部材１０ｂと、この中間部材１０ｂに固定されるノズル１０ｃからなる。なお、本実施形態において、泡噴出キャップ１０には、着脱可能なオーバーキャップ１０ｄが設けられている。
【００１４】
栓体１０ａは、図２に示すように、口筒部２ａを閉じる隔壁１１を有する。隔壁１１は、口筒部２ａを取り囲む装着部１２を有する。装着部１２は、例えば、図示のように、ねじ部を有し、口筒部２ａに形成されたねじ部に取り外し可能に螺合する。これにより、栓体１０ａは、口筒部２ａに装着される。隔壁１１には、吸入筒１３が一体に設けられている。吸入筒１３には、フィルタｆが末端に装着された吸入パイプＰが固定されている。吸入パイプＰの内側には、フィルタｆを通して充填空間Ｓ０に通じる通路ｒ１が形成されている。また、吸入筒１３の内側には、吸入パイプＰとの間に、充填空間Ｓ０に通じる通路ｒ２が形成されている。通路ｒ２は、軸線Ｏ周りの、少なくとも一箇所に形成することができる。例えば、通路ｒ２は、本実施形態のように、吸入筒１３の内側に縦溝を形成することで吸入パイプＰとの間に形成することができる。但し、本発明に従えば、通路ｒ２は、別途設けた貫通孔等で構成することも可能である。さらに、吸入筒１３の内側には、通路ｒ１と通路ｒ２が合流して容器本体２の内容液Ｍ及び空気Airを混合させる混合路ｒ３が形成されている。加えて、隔壁１１は、吸入筒１３の周りに環状の凹部１１ａを形成し、この凹部１１ａに、充填空間Ｓ０に通じる貫通孔Ａ２が形成されている。貫通孔Ａ２も、軸線Ｏ周りの、少なくとも一箇所に形成することができる。
【００１５】
中間部材１０ｂは、軸線Ｏ周りを周回する周壁１４を有する。周壁１４の一端は、固定部Ｃ１を介して栓体１０ａに固定され、その他端は、固定部Ｃ２を介してノズル１０ｃに固定される。固定部Ｃ１には、例えば、図示のように、互いに設けた凸部を嵌合させる、いわゆるアンダーカット嵌合が挙げられる。また、固定部Ｃ２には、例えば、図示のように、圧入嵌合が挙げられる。但し、固定部Ｃ１，Ｃ２については、図示のものに限定されることなく、様々な固定手段を採用することができる。また、栓体１０ａと中間部材１０ｂとの間は、固定部Ｃ１の内側にシール部Ｓが設けられている。シール部Ｓは、栓体１０ａから起立する環状のシール筒部１１ｓと、中間部材１０ｂから垂下する環状のシール筒部１４ｓとで構成されている。
【００１６】
周壁１４の内側には、仕切壁１５が一体に設けられている。仕切壁１５は、栓体１０ａとノズル１０ｃの間に形成された空間を、ノズル側の空間Ｓ１と容器本体側の空間Ｓ２の２つの空間に区画する。また、仕切壁１５には、この仕切壁１５からノズル側の空間Ｓ１に向かって筒体部１６が一体に起立する。仕切壁１５から筒体部１６を起立させることで、ノズル側の空間Ｓ１内には、環状の隙間Ｇが形成される。更に、仕切壁１５には、隙間Ｇを容器本体側の空間Ｓ２に通じさせる貫通孔Ａ１が形成されている。貫通孔Ａ１は、図３（ａ）に示すように、軸線Ｏ周りに沿って伸びる長孔として構成されている。貫通孔Ａ１は、軸線Ｏ周りの、少なくとも一箇所に形成することができる。
【００１７】
筒体部１６の内側には、図２に示すように、２つの泡生成部材１７を配置する。泡生成部材１７は、容器本体２の変形によって圧送された内容液Ｍと空気Airの混合物を通して当該混合物を泡状に生成する。本形態では、泡生成部材１７は、メッシュリングで構成されている。メッシュリングは、リング本体１７ａの一端に、メッシュ部材１７ｂを貼り付けてなる。なお、泡生成部材１７は、少なくとも１つで構成することができる。仕切壁１５には、筒体部１６の内側に、泡生成部材１７に通じる開口部Ａ０が形成されている。また、本実施形態では、開口部Ａ０と泡生成部材１７との間に、通路ｒ５が形成されている。
【００１８】
一方、容器本体側の空間Ｓ２には、複合弁２０が配置されている。複合弁２０は、筒部材２１を有する。筒部材２１の内側には、栓体１０ａに形成した混合路ｒ３を中間部材１０ｂに形成した開口部Ａ０に通じさせる通路ｒ４が形成されている。筒部材２１の一端は、固定部Ｃ３を介して栓体１０ａに固定され、その他端は、固定部Ｃ４を介して中間部材１０ｂに固定される。固定部Ｃ３，Ｃ４には、例えば、図示のように、圧入嵌合が挙げられる。但し、固定部Ｃ３，Ｃ４についても、図示のものに限定されることなく、シール性が確保される手段であれば、様々な固定手段を採用することができる。
【００１９】
筒部材２１の外側には、吸気弁２２が一体に設けられている。吸気弁２２は、筒部材２１の外周面から一体に拡径する環状のダイヤフラムとして構成されている。吸気弁２２は、常態において、図２に示すように貫通孔Ａ１を密封し、容器本体側の空間Ｓ２に生じた負圧によって貫通孔Ａ１を開放する。また、筒部材２１の内側には、吐出弁２３が一体に設けられている。吐出弁２３は、筒部材２１の内周面から一体に伸びる複数の連結片２４を介して筒部材２１に連結されている。吐出弁２３は、常態において混合路ｒ３の開口部を密封し、混合路ｒ３に生じた圧送力によって混合路ｒ３の開口部を開放する。
【００２０】
ここで、泡噴出チューブ容器１の使用方法の一例を説明する。
【００２１】
本実施形態の一例では先ず、泡噴出チューブ容器１を図１に示す状態から逆さまにして、図４に示すように、泡噴出キャップ１０を下向きにした状態にすると、容器本体２内の内容液Ｍ及び空気Airは、同図に示すように、液層（Ｍ）と空気層（Air）に分かれる。このとき、吸入パイプＰは、内容液Ｍの液面から露出して通路ｒ１を空気層（Air）に通じさせる一方、通路ｒ２は、液層（Ｍ）内に通じる。このため、同図に示すように、容器本体２を押し潰して変形させると、充填空間Ｓ０内の圧力が高まることで、同充填空間Ｓ０内の空気及び内容液Ｍがそれぞれ、フィルタｆから通路ｒ１を通して混合路ｒ３に導入されるとともに、通路ｒ２を通して混合路ｒ３に導入される。また、混合路ｒ３内には、内容液Ｍと空気Airの混合物が圧送されるため、この圧送力によって混合路ｒ３を閉じる吐出弁２３が開放されることで、この混合物が筒部材２１の通路ｒ４及びｒ５から泡生成部材１７を通して噴出口１８から泡状に噴出される。このとき、容器本体側の空間Ｓ２には負圧が生じないので、吸気弁２２は、同図に示すように、貫通孔Ａ１を閉じたまま、噴出口１８からの外気の導入を阻止する。これにより、容器本体２の変形に応じた泡状の混合物を噴出させることができる。
【００２２】
これに対し、図５に示すように、容器本体２の変形を解除して復元させると、充填空間Ｓ０内の圧力が下がって負圧を生じさせるため、吐出弁２３が混合路ｒ３を閉じることで混合物の供給を遮断する一方、容器本体側の空間Ｓ２に配置された吸気弁２２は、当該空間Ｓ２に貫通孔Ａ２を通して充填空間Ｓ０とともに負圧が生じることによって、貫通孔Ａ１を開放して噴出口１８からの外気を容器本体２（充填空間Ｓ０）内に導入する。このとき、ノズル側の空間Ｓ１には、噴出口１８に通じる環状の隙間Ｇが形成されているため、仕切壁１５に対して単に貫通孔を形成した場合に比べて、ノズル側の空間Ｓ１に残った泡（液）をより効率的に、中間部材に形成した貫通孔Ａ１から容器本体側の空間Ｓ２に導くことができる。これにより、泡噴出後の泡（液）切れが効率的に向上することで、長期間綺麗に使い続けることができるとともに、容器本体２の復元もスムースになることで、操作性も良好なものとなる。
【００２３】
従って、本実施形態によれば、泡切れが良く操作性の良好な新規の泡噴出キャップ１０及び、それを備える泡噴出チューブ容器１を提供することができる。なお、本実施形態では、図１及び２に示すように、泡噴出キャップ１０を上向きにした状態でも、同様の方法で使用することができる。但し、この場合、充填空間Ｓ０の内容液Ｍ及び空気Airはそれぞれ、先の説明とは反対に、フィルタｆから通路ｒ１を通して混合路ｒ３に導入されるとともに、通路ｒ２を通して混合路ｒ３に導入される。
【００２４】
上述したところは、本発明の一形態を示したにすぎず、本発明に従えば、種々の変更を加えることができる。例えば、吸気弁２２と吐出弁２３は、筒部材２１を介して一体に設けることなく、別体として構成することができる。また、泡噴出キャップ１０は、口筒部２ａに対して螺合によって装着されるものに限定されることなく、例えば、栓体１０ａがアンダーカット嵌合等によって打栓するものとすることもできる。さらに、吸入パイプＰに設けたフィルタｆは省略することができる。
【産業上の利用可能性】
【００２５】
本発明は、容器本体の変形及び復元により内容物を泡状に噴出させることができる泡噴出キャップ及び、それを備える泡噴出チューブ容器として適用することができる。また、その内容物としては、例えば、シャンプー、ボディソープ、ハンドソープ、洗顔料等の各種液体洗浄剤やセットローション等の整髪剤が挙げられる。
【符号の説明】
【００２６】
１      泡噴出チューブ容器
２      容器本体
２ａ    口筒部
１０    泡噴出キャップ
１０ａ  栓体
１０ｂ  中間部材
１０ｃ  ノズル
１１    隔壁
１１ａ  凹部
１２    装着部
１３    吸入筒
１４    周壁
１５    仕切壁
１６    筒体部
１７    泡生成部材
２０    複合弁
２１    筒部材
２２    吸気弁
２３    吐出弁
Ａ０    開口部
Ａ１    貫通孔（外気導入孔）
Ａ２    貫通孔（外気導入孔）
Ｃ１    固定部
Ｃ２    固定部
Ｃ３    固定部
Ｃ４    固定部
ｒ１    通路
ｒ２    通路
ｒ３    混合路
ｒ４    通路
ｒ５    通路
Ｓ      シール部
Ｓ０    充填空間
Ｓ１    ノズル側の空間
Ｓ２    容器本体側の空間
【図１】
2014046962.tif 000003
【図２】
2014046962.tif 000004
【図３】
2014046962.tif 000005
【図４】
2014046962.tif 000006
【図５】
2014046962.tif 000007